(57)【要約】【課題】水流による水圧の影響を低減するとともに少ない工数で遮水壁の開口部を締め切ること。【解決手段】一次締切ステップにおいては、打設が完了した状態において地中に埋まる位置に一方の面側から他方の面側に貫通する穴が設けられた複数の矢板を、当該穴が水中に位置するように建て込んで一次締切を行う。二次締切ステップにおいては、一次締切ステップにおいて建て込まれた複数の矢板を、穴が地中に埋まるように打ち下げて二次締切を行う。【選択図】図４
2015129372.tif 000002
【特許請求の範囲】
【請求項１】
打設が完了した状態において地中に埋まる位置に一方の面側から他方の面側に貫通する穴が設けられた矢板。
【請求項２】
打設が完了した状態において地中に埋まる位置に一方の面側から他方の面側に貫通する穴が設けられた複数の矢板を、当該穴が水中に位置するように建て込んで一次締切を行う一次締切ステップと、
前記一次締切ステップにおいて建て込まれた前記複数の矢板を、前記穴が地中に埋まるように打ち下げて二次締切を行う二次締切ステップと
を備えた締切方法。
【発明の詳細な説明】
【技術分野】
【０００１】
本発明は、矢板及び締切方法に関する。
【背景技術】
【０００２】
水上に設けられる管理型廃棄物最終処分場などにおいては、有害物質などの外部への漏出を防止する必要があるため、廃棄物を収容する領域を取り囲むように遮水壁が設けられる。遮水壁の施工においては、遮水壁を設ける線上の一部の区間に開口部を設け、この開口部以外の区間に遮水壁を構築し、最終的に開口部を矢板で締め切るという手順で行われる。開口部が締め切られる以前は開口部を通じて水が出入りすることにより遮水壁内外の水位が等しく保たれるため、施工中の矢板に過大な水圧が作用することはない。ところが、開口部を締め切る過程では、打設した矢板の数が増えるにつれて徐々に開口部が狭まって水が出入りしにくくなるため、潮流などの水流による水圧が矢板に作用することにより施工の精度や安全性が低下するおそれがある。このような水流の影響を最小限に留めるには、潮位の変化の少ない潮間に開口部を締め切ることが考えられるが、作業の時間が制約されてしまう。締切作業を短時間で終えるために最初から開口部の幅を狭くすると、水流による水圧の影響が増大してしまう。
【０００３】
このような問題を解決するための技術として、例えば、特許文献１に記載された締切方法では、遮水壁の最終締切部（上記の開口部に相当する）の外側に、通水部を有する短辺壁を遮水壁に直交するように互いに対向させて構築し、次に、遮水壁に平行な長辺壁を構築して平面視略コ字形の仮設遮水壁を構築する。次に、短辺壁における一方の通水部と他方の通水部を順次閉塞し、遮水壁の最終締切部を矢板により閉塞し、最後に仮設遮水壁を撤去する。
【先行技術文献】
【特許文献】
【０００４】
【特許文献１】特開２０１１−８９３９２号公報
【発明の概要】
【発明が解決しようとする課題】
【０００５】
しかし、特許文献１に記載された技術では、仮設遮水壁の設置、通水部の閉塞、仮設遮水壁の撤去という工程を要するため、工数が多くなるという問題がある。
そこで、本発明は、水流による水圧の影響を低減するとともに少ない工数で遮水壁の開口部を締め切る技術を提供することを目的とする。
【課題を解決するための手段】
【０００６】
本発明は、打設が完了した状態において地中に埋まる位置に一方の面側から他方の面側に貫通する穴が設けられた矢板を提供する。
また、本発明は、打設が完了した状態において地中に埋まる位置に一方の面側から他方の面側に貫通する穴が設けられた複数の矢板を、当該穴が水中に位置するように建て込んで一次締切を行う一次締切ステップと、前記一次締切ステップにおいて建て込まれた前記複数の矢板を、前記穴が地中に埋まるように打ち下げて二次締切を行う二次締切ステップとを備えた締切方法を提供する。
【発明の効果】
【０００７】
本発明によれば、水流による水圧の影響を低減するとともに少ない工数で遮水壁の開口部を締め切ることができる。
【図面の簡単な説明】
【０００８】
【図１】矢板１の構成を示す図。
【図２】複数の矢板１の継手３を連結した状態を示す図。
【図３】遮水壁４を示す図。
【図４】開口部５の締切の施工手順を示す図。
【発明を実施するための形態】
【０００９】
本発明を実施するための形態の一例について説明する。図１は、矢板１の構成を示す図である。図１（ａ）は、矢板１の側面図である。図１（ｂ）は、矢板１の平面図である。図１（ｃ）は、図１（ａ）のI−I断面図である。本実施形態に係る矢板１は、Ｕ形の鋼矢板である。矢板１には、矢板１の一方の面側から他方の面側に貫通する穴２が設けられている。この穴２は、矢板１の打設が完了した状態において地中に埋まる位置に設けられている。穴２の位置は、水深、根入れ深さなどの諸条件に応じて定められる。穴２が水中に位置するように矢板１が建て込まれた場合、矢板１の一方の面側と他方の面側との間で穴２を通じて双方向に水が流通可能となる。矢板１の左右の端部には、複数の矢板１を連結するための継手３が設けられている。図２は、複数の矢板１の継手３を連結した状態を示す図である。
【００１０】
図３は、遮水壁４を示す図である。遮水壁４は、廃棄物を収容する領域を取り囲むように、設けられる。本実施形態では、遮水壁４を設ける線上の一部の区間に開口部５を設け、開口部５を除く部分に遮水壁４が先行して構築され（図３（ａ）参照）、続いて、矢板１を用いて開口部５の締切が行われる（図３（ｂ）参照）。
【００１１】
図４は、開口部５の締切の施工手順を示す図である。
（１）一次締切ステップ
一次締切ステップにおいては、穴２が水中に位置するように複数の矢板１を建て込んで一次締切を行う。具体的には、開口部５を除く部分の遮水壁４の施工完了後、遮水壁４に隣接する１枚目の矢板１を、穴２が水中に位置するように打設する（図４（ａ）参照）。一次締切ステップにおける矢板１の打設の深さは、穴２の下端が水底以上の高さになることが望ましい。続いて、先に打設した矢板１と次に打設する矢板１の継手３同士を連結させて、２枚目以降の矢板１を１枚目の矢板１と同じ深さに打設する（図４（ｂ）参照）。図４（ｃ）は、矢板１の建て込みが完了した状態を示す。この状態においては、各矢板１の穴２は水中に位置するから、矢板１の一方の面側と他方の面側との間で穴２を通じて双方向に水が流通可能となる。
【００１２】
（２）二次締切ステップ
二次締切ステップにおいては、一次締切ステップにおいて建て込まれた複数の矢板１を、穴２が地中に埋まるように打ち下げて二次締切を行う。図４（ｄ）、（ｅ）では、建て込まれた複数の矢板１の一方の端から順に矢板１を１枚ずつ打ち下げる例を示したが、どのような順番で矢板１を打ち下げてもよい。また、複数の矢板１をまとめて打ち下げてもよい。図４（ｆ）は、すべての矢板１の打ち下げが完了した状態を示す。
【００１３】
本実施形態によれば、一次締切ステップにおいて、矢板１の打設により開口部５の幅が徐々に狭まっていくが、打設済みの矢板１の穴２を通じて水が流通することにより遮水壁４の内外の水位が等しく保たれるため、施工中の矢板１に過大な水圧が作用することを防ぐことができる。従って、矢板１を高い精度で打設することができる。また、作業の安全性を高く保つことができる。
【００１４】
また、本実施形態によれば、一次締切ステップにおける矢板１の建て込みが完了した状態においても、矢板１の穴２を通じて水が流通することにより遮水壁４の内外の水位が等しく保たれる。従って、二次締切ステップにおける矢板１の打ち下げ作業においても、矢板１を高い精度で打設することができる。また、作業の安全性を高く保つことができる。
【００１５】
従来は、水流による水圧の影響を避けるために潮間に作業を行うとすると、作業可能な時間帯は満潮時又は干潮時の前後１時間程度に限られ、また、その時間帯は月齢とともに日々ずれていくため、短工期での施工が困難であるという問題があった。これに対して、本実施形態では、水流による水圧の影響を受けにくいため、従来と比べて作業時間帯の制約が緩くなり、工期を短縮することができる。
【００１６】
また、本実施形態では、開口部の外側に前述した仮設遮水壁を設ける必要がない。また、開口部の外側に仮設遮水壁を設ける工法では、開口部を除く部分の遮水壁の打設に用いた導材（導杭、導枠など）を撤去した後、開口部の締切のための導材を設置するという手順を要するが、本実施形態では、開口部を除く部分の遮水壁の打設に用いた導材をそのまま開口部の締切にも使用することができる。また、開口部の外側に仮設遮水壁を設ける工法では、通水部の開放と閉塞にヤットコ（雇い杭）の打ち下げと引き上げを要し、また、この作業には潜水士による作業補助が必要となるが、本実施形態では、ヤットコ作業も潜水士の補助も必要としない。
【００１７】
＜変形例＞
上記の実施形態を次のように変形してもよい。
矢板１の形状は、直線形、Ｈ形、鋼管矢板などでもよい。
矢板１の材質は、木材、鉄筋コンクリート、合成樹脂などでもよい。
１枚の矢板１に複数の穴２が設けられていてもよい。また、穴２に金網などが設けられていてもよい。
穴の設けられた矢板（以下、穴有り矢板という。）と穴の設けられていない矢板（以下、穴無し矢板という。）とを交互に設置してもよい。また、穴有り矢板の数と穴無し矢板の数との比率を水流の大きさに応じて決めてもよい。つまり、水流が大きいほど穴有り矢板の比率が高くなるようにしてもよい。
本発明は、廃棄物処分場のような本設の遮水壁に限定されることなく、例えば、河川内に一時的に設置する仮設の遮水壁などに適用してもよい。
【符号の説明】
【００１８】
１  矢板、２  穴、３  継手、４  遮水壁、５  開口部
【図１】
2015129372.tif 000003
【図２】
2015129372.tif 000004
【図３】
2015129372.tif 000005
【図４】
2015129372.tif 000006